(57)【要約】      （修正有）【課題】保護フィルムを電子機器の表面に素早く、平らに貼ることができるフィルムの貼り付け装置を提供する。【解決手段】収容本体１０と、保護フィルムカバーを押し出すためのローラ装置２０とからなる。収容本体は、二つのスライド溝１０３と、第一収容溝１０１と第二収容溝１０２とを備える。ローラ装置２０は、ローラフレームを備えるとともに、その内側にはローラセット２２が設けられ、ローラセットは押当部２１２を備える。保護フィルムカバーは、固定部材３１、固定薄膜３２、底膜３４、押分部材３５を備える。使用者が電子機器を第一収容溝に置き、保護フィルムカバーの固定部材を第二収容溝に係合させた時、ローラ装置を押して二つのスライド溝に沿ってスライド移動させることで、ローラ装置の各押当部をそれぞれ保護フィルムカバーの押分部材に押し当て、底膜と保護フィルムを分離させることができ、保護フィルムを電子機器の表面に貼り付けることができる。【選択図】図１
0003182202.tif 000002
【実用新案登録請求の範囲】
【請求項１】
保護フィルムを電子機器に貼り付けるためのフィルムの貼り付け装置であって、
前記フィルムの貼り付け装置は、収容本体と、ローラ装置とからなり、
前記収容本体は、二つのスライド溝と、第一収容溝と、第二収容溝とを備え、
前記二つのスライド溝は、それぞれ、前記収容本体の両側辺に設けられ、
第一収容溝は、前記二つのスライド溝の間に設けられ、
第二収容溝は、前記第一収容溝と並べられて前記二つのスライド溝の間に設けられ、
前記ローラ装置は、ローラフレームと、ローラセットとを備え、
前記ローラフレームは、工型構造であり、前記工型構造の両側板は、それぞれ、回転凸軸及び押当部を備え、各前記押当部及び各前記回転凸軸は、前記工型構造の内側に対応して設けられ、
前記ローラセットは、少なくとも一つのローラを備え、前記ローラは、前記工型構造内に設けられるとともに、その両端は、それぞれ各前記回転凸軸に嵌め込まれ、
前記ローラ装置の前記二つの側板は、それぞれ、前記収容本体の各前記スライド溝内に係合され、前記電子機器は、前記第一収容溝に置かれることを特徴とする、フィルムの貼り付け装置。
【請求項２】
前記フィルムの貼り付け装置は、さらに、保護フィルムカバーを備え、
前記保護フィルムカバーは、前記保護フィルムと、固定部材と、固定薄膜と、底膜と、押分部材と、支持薄膜とを備え、
前記固定部材は、前記収容本体の前記第二収容溝の外型の大きさに対応し、
前記固定薄膜の一端は、前記固定部材に貼り付けられ、前記固定薄膜の他端は、前記保護フィルムの頂面に貼り付けられ、
前記底膜は、前記保護フィルムの底面に貼り付けられ、  
前記押分部材は、前記底膜における前記保護フィルムが貼り付けられた面とは反対の他面に固定され、
前記支持薄膜は、長い棒状を呈するとともに、前記底膜に設けられ、また、前記支持薄膜は、前記底模と前記押分部材に挟まれるとともに、前記押分部材と垂直に配置され、
前記保護フィルムカバーの前記固定部材を前記第二収容溝に係合した時に、前記ローラ装置を押すことによって、前記ローラ装置が前記二つのスライド溝に沿ってスライド移動し、それにより、前記ローラ装置の各前記押当部がそれぞれ前記保護フィルムカバーの前記押分部材を押し出し、それにより、前記底膜と前記保護フィルムが分離して、前記保護フィルムが前記電子機器の表面に貼り付くことを特徴とする、請求項１に記載のフィルムの貼り付け装置。
【請求項３】
前記ローラ装置は、更に、ハンドル部を備え、使用者が前記ハンドル部を用いることにより、前記ローラ装置を前記収容本体の各前記スライド溝に沿って移動させることができることを特徴とする、請求項２に記載のフィルムの貼り付け装置。
【請求項４】
前記ローラ装置の各前記側板は、各前記側板が対応する各前記スライド溝の間をスムーズに移動できるように、更にそれぞれ補助ローラを備えることを特徴とする、請求項３に記載のフィルムの貼り付け装置。
【請求項５】
前記収容本体は楔形構造であり、前記収容本体は、更に、ローラ収容部を備え、前記ローラ収容部は、前記ローラ装置を収納できるよう前記ローラ装置の外型の大きさに対応することを特徴とする、請求項４に記載のフィルムの貼り付け装置。
【請求項６】
前記ローラ装置の前記押分部材は楔形構造であることを特徴とする、請求項５に記載のフィルムの貼り付け装置。
【請求項７】
前記収容本体の底部は、前記収容本体を平たい台に固定するために、複数の固定穴を備えることを特徴とする、請求項６に記載のフィルムの貼り付け装置。
【請求項８】
前記収容本体の前記第二収容溝は、複数の固定凸点を備え、前記保護フィルムカバーの前記固定部材は、固定凸点に対応する凹孔を備え、それにより、前記保護フィルムカバーは前記収容本体に固定されることを特徴とする、請求項７に記載のフィルムの貼り付け装置。
【請求項９】
前記収容本体の底部は、前記ローラ装置がスライド移動する際に前記収容本体が移動するのを避けるために、複数の滑り止めユニットを備え、前記第一収容溝の底部には第一穿孔が穿設され、前記第二収容溝の底部には第二穿孔が穿設されることを特徴とする、請求項８に記載のフィルムの貼り付け装置。
【請求項１０】
前記ローラセットは、二つのローラを備え、前記二つのローラは相互に並べて配置され、各前記ローラにより、前記保護フィルムを前記電子機器の表面に更にぴったりと貼り付けることができ、前記収容本体にはスライド構造が設けられ、前記スライド構造により前記第一収容溝の大きさを調整することができることを特徴とする、請求項９に記載のフィルムの貼り付け装置。
【考案の詳細な説明】
【技術分野】
【０００１】
本考案はフィルムの貼り付け装置に関し、特に収容溝とローラとを結合させてなることにより、保護フィルムを電子機器に効果的に貼り付けることが可能なフィルムの貼り付け装置に関する。
【背景技術】
【０００２】
近年のモバイル通信技術の急速な発展に伴い、スマートフォン、携帯型タブレットＰＣなどの関連製品が人気を博している。これらの電子製品が思わぬ事態により凹んだり傷ついてしまったりすることをできるだけ避けたいという消費者の願いは、想像に難くない。これらの問題を解決するために、メーカーは、各種のケース、保護カバー等を製造している。しかしながら、電子機器のタッチパネルの発展に伴い、これらのカバーは使用者の電子機器の操作に干渉を起こす可能性があるため、厚いカバーは適用できなくなってきた。従って、現在、メーカーの多くは、電子機器のモニターの鮮明な表示を保ちつつ且つタッチパネルにひっかき傷ができるのを防ぐことができる保護フィルムを生産している。
【０００３】
これらの保護フィルム或いはモニター保護フィルムは優れた点があるものの、新しい技術と比べて、多くの欠点が存在する。例えば、多くの保護フィルムは、湿潤剤（ｗｅｔ  ｆｌｕｉｄ  ｓｏｌｕｔｉｏｎ）を使用して保護フィルムを電子機器に貼り付ける。使用者は、多くの製造プロセスを経た後、ゴムローラーで溶液を押し出す必要がある。その押し出しのプロセスでは気泡が生じ、保護フィルムをぴったり貼り合わせることができなくなるため、使用者は、気泡を取り除く作業をさらに行わなければならない。また、この気泡を取り除く作業は、少なくとも、半日から一日かかる。言い換えると、消費者は、数日待たないと、保護フィルムが確実に貼りついたかどうか（使用可能かどうか）を確認することができず、使用上、多くの不便があるといえる。
【０００４】
このことに鑑み、如何にしてフィルムの貼り付け装置を考案して、上述の問題を解決するかが業者の重要な課題となっていた。そこで、本考案の考案者は、思考を重ね、フィルムの貼り付け装置を考案した。それにより、従来技術の欠点を改善し、産業の利用性を高めることに成功した。
【考案の概要】
【考案が解決しようとする課題】
【０００５】
上述した従来技術が抱える問題に鑑み、本考案は、保護フィルムを電子機器の表面に素早く、平らに貼ることができるフィルムの貼り付け装置を提供することを目的とする。
【課題を解決するための手段】
【０００６】
保護フィルムを電子機器に貼り付けるための本考案によるフィルムの貼り付け装置は、収容本体と、保護フィルムカバーを押して動かすためのローラ装置と、からなる。収容本体は、二つのスライド溝と、第一収容溝と、第二収容溝と、を備える。二つのスライド溝は、それぞれ、収容本体の両側辺に設けられ。第一収容溝は二つのスライド溝の間に設けられる。第二収容溝は、第一収容溝と並べられて二つのスライド溝の間に設けられる。ローラ装置は、ローラフレームと、ローラセットとを備える。ローラフレームは、工型構造であり、工型構造の両側板は、それぞれ、回転凸軸及び押当部を備える。各押当部及び各回転凸軸は、工型構造の内側に対応して設けられる。ローラセットは、少なくとも一つのローラを備え、前記ローラは、工型構造内に設けられるとともに、その両端は、それぞれ、各回転凸軸に嵌め込まれる。
【０００７】
保護フィルムカバーは、固定部材と、固定薄膜と、底膜と、押分部材と、を備える。固定部材は、収容本体の第二収容溝の外形の大きさに対応する。固定薄膜の一端は固定部材に貼り付けられ、固定薄膜の他端は、保護フィルムの頂面に貼り付けられる。底膜は、保護フィルムの底面に貼り付けられる。押分部材は、底膜における保護フィルムが貼り付けられた面の反対の他面に固定される。
【０００８】
ローラ装置の二つの側板はそれぞれ収容本体の各スライド溝内に係合される。使用者が電子機器を第一収容溝に置き、保護フィルムカバーの固定部材を第二収容溝に係合させた時、使用者がローラ装置を押して二つのスライド溝に沿って移動させることで、ローラ装置の各押当部をそれぞれ保護フィルムカバーの押分部材に押し当て、それにより底膜と保護フィルムを分離させることができ、ひいては保護フィルムを電子機器の表面に貼り付けることができる。
【０００９】
好ましくは、ローラ装置は、更に、ハンドル部を備え、使用者がハンドル部を用いることにより、ローラ装置を収容本体の各スライド溝に沿って移動させることができる。
【００１０】
好ましくは、ローラ装置の各側板は更にそれぞれ補助ローラを備え、それにより、各側板が対応する各スライド溝の間でスムーズにスライド移動することができる。
【００１１】
好ましくは、収容本体は更にローラ収容部を備え、ローラ収容部は、ローラ装置を収容するためにローラ装置の外型の大きさに対応する。
【００１２】
好ましくは、収容本体は楔形構造である。
【００１３】
好ましくは、ローラ装置の押分部材は楔形構造である。
【００１４】
好ましくは、収容本体の底部は複数の固定穴を備え、それにより、収容本体は平たい台或いは机に固定される。
【００１５】
好ましくは、収容本体の第二収容溝は、複数の固定凸点を備え、保護フィルムカバーの固定部材は、固定凸点に対応する凹孔を備え、それにより、保護フィルムカバーは収容本体に固定される。
【００１６】
好ましくは、収容本体の底部は、複数の滑り止めユニットを備え、それにより、ローラ装置がスライド移動した時に収容本体が移動するのを防ぐことができる。
【００１７】
好ましくは、ローラセットは二つのローラを備え、二つのローラは相互に並べて配列され、各ローラは、保護フィルムを電子機器の表面に更にぴったりと貼り付けることができる。
【考案の効果】
【００１８】
上述した構造による本考案のフィルムの貼り付け装置は、以下の利点がある。
【００１９】
１、本考案のフィルムの貼り付け装置により、使用者は、電子機器へのフィルムの貼り付け作業を、素早く確実に行うことができ、フィルムを貼る過程で気泡が生じるのを防ぐことができる。
【００２０】
２、本考案のフィルムの貼り付け装置は、静電気の原理を利用しつつローラ装置を用いることで、使用者は保護フィルムを電子機器の表面に素早く平らに貼り付けることができ、従来の技術における保護溶液が乾燥するのを待たなければならなかった問題及び平らにならない問題を解決することができる。
【００２１】
３、本考案のフィルムの貼り付け装置は、フィルムを貼る作業を素早く完成することができ、消費者はＤＩＹで貼り付けることができるため、楽しく作業ができる。
【図面の簡単な説明】
【００２２】
【図１】本考案によるフィルムの貼り付け装置の第一概略図である。
【図２】本考案によるフィルムの貼り付け装置の第二概略図である。
【図３】本考案によるフィルムの貼り付け装置の収容本体の第一概略図である。
【図４】本考案によるフィルムの貼り付け装置の収容本体の第二概略図である。
【図５】本考案によるフィルムの貼り付け装置のローラ装置の第一概略図である。
【図６】本考案によるフィルムの貼り付け装置のローラ装置の第二概略図である。
【図７】本考案によるフィルムの貼り付け装置の保護フィルムカバーの第一概略図である。
【図８】本考案によるフィルムの貼り付け装置の保護フィルムカバーの第二概略図である。
【図９】本考案によるフィルムの貼り付け装置の操作手順を示した説明図である。
【図１０】本考案によるフィルムの貼り付け装置の操作手順を示した説明図である。
【図１１】本考案によるフィルムの貼り付け装置の操作手順を示した説明図である。
【図１２】本考案によるフィルムの貼り付け装置の操作手順を示した説明図である。
【図１３】本考案によるフィルムの貼り付け装置の操作手順を示した説明図である。
【図１４】本考案によるフィルムの貼り付け装置の操作手順を示した説明図である。
【図１５】本考案の実施例を大型電子機器に適用した際の使用操作を示した説明図である。
【図１６】本考案の実施例を大型電子機器に適用した際の使用操作を示した説明図である。
【図１７】本考案の実施例を大型電子機器に適用した際の使用操作を示した説明図である。
【考案を実施するための形態】
【００２３】
図１と図２を参照する。図１は、本考案によるフィルムの貼り付け装置の第一概略図であり、図２は、本考案によるフィルムの貼り付け装置の第二概略図である。図に示すように、フィルムの貼り付け装置１は、収容本体１０と、収容本体１０に可動に設けられた保護フィルムカバー３０を押して動かすことができる、ローラ装置２０と、からなる。
【００２４】
収容本体１０は、第一収容溝１０１と、第二収容溝１０２と、二つのスライド溝１０３とを備える。二つのスライド溝１０３は、それぞれ、収容本体１０の両側辺に設けられる。第一収容溝１０１は、二つのスライド溝１０３の間に設けられる。第二収容溝１０２と第一収容溝１０１は、二つのスライド溝１０３の間に並べて設けられる。ローラ装置２０は、ローラフレーム２１とローラセット２２を備える。ローラフレーム２１は工型構造であり、工型構造の両側板２０１は、それぞれ、回転凸軸２１１及び押当部２１２を備えており、各押当部２１２及び各回転凸軸２１１は、工型構造の内側に対応して設けられる。また、第一収容溝１０１の間には、第一穿孔１０６が穿設される。ローラセット２２は、少なくとも一つのローラ２２１を備え、少なくとも一つのローラ２２１は、工型構造内に設けられるとともに、その両端は、それぞれ、各回転凸軸２１１に嵌め込まれる。ローラ装置２０の二つの側板２０１は、それぞれ、収容本体１０の各スライド溝１０３内に係合される。
【００２５】
保護フィルムカバー３０は、固定部材３１と、固定薄膜３２と、保護フィルム３３と、底膜３４と、押分部材３５と、を備える。固定部材３１は、収容本体１０の第二収容溝１０２の外型の大きさに対応する。固定薄膜３２の一端は固定部材３１に貼り付けられ、他端は、保護フィルム３３の頂面に貼り付けられる。底膜３４は、静電気によって保護フィルム３３の底面に貼り付けられる。押分部材３５は、底膜３４における保護フィルム３３が貼りあわされた面と反対の他面に固定される。なお、押分部材３５は、楔形構造或いは矩形構造にすることができる。言い換えると、保護フィルム３３頂面の一端は固定薄膜３２に貼り付けられ、固定薄膜３２の他端は固定部材３１に貼り付けられる。保護フィルム３３の底面には、底膜３４が貼り付けられ、底膜３４の底面には押分部材３５が連結される。また、静電気を利用して貼り付けるという方法は、本実施例の内の一つの方式にすぎない。また、保護フィルムと底膜は、ＰＥＴ或いはＰＰ或いはＴＰＵ材質であるが、それに限定されるものではない。
【００２６】
使用者が電子機器４０を第一収容溝１０１に置き、さらに、保護フィルムカバー３０の固定部材３１を第二収容溝１０２に係合させた時、ローラ装置２０を押すことによって、使用者は、ローラ装置２０を二つのスライド溝１０３に沿ってスライド移動させることができる。それにより、ローラ装置２０の各押当部２１２は、それぞれ、保護フィルムカバー３０１の押分部材３５を押し出し、それにより、底膜３４と保護フィルム３３が分離し、保護フィルム３３が電子機器４０の表面に貼り付く。貼り合わせが完成した後、使用者は、第一穿孔１０６を通して電子機器４０を押すことにより、第一収容溝１０１から取り外すことができる。同様の原理によって、第二穿孔１０７を通して、第二収容溝１０２に置いた固定部材３１を押すことにより、第二収容溝１０２から取り外すことができる。
【００２７】
また、ここで注記しておきたいのは、本考案を実際使用する際には、各メーカーの各種電子機器４０（例えば、各種携帯電話、各種タブレットＰＣ、各種タッチパネル入力装置などの平面上にフィルムを貼る必要がある全ての電子機器）に適用することができ、収容本体１０は、スライドを備える構造に設計することができる（この技術構造は、通常の知識を有しているものであれば想像できるため、ここでは記載を省略するものとする）。それにより、第一収容溝１０１の大きさを調整することができる。また、ローラ装置２０も、相互に対応するスライド構造を備えることができ（或いは、収容本体１０を縦方向と横方向に長さを延ばし、第一収容溝１０１の大きさを変えることができる）を備えることができ、各種電子機器４０の大きさに対応することができる。
【００２８】
図１に示すように、収容本体１０は、更に、ローラ収容部１１を備え、ローラ収容部１１はローラ装置２０の外型の大きさに対応し、ローラ装置２０を収容することができる。
【００２９】
上述した各構成部材からなる構造をさらにはっきり理解するために、以下に、各構成部材について更に踏み込んだ説明を行う。図３と図４を同時に参照する。図３と図４は、それぞれ、収容本体１０の第一概略図と第二概略図である。本考案を実際に使用する際には、収容本体１０を楔形構造（或いは梯子型構造）にすることができ、それによって、使用者がローラ装置２０を押す時、さらにスムーズにすることができる。また、ローラ装置２０は、収容本体１０と一体成型の構造にすることもできる。ここで注記しておきたいのは、収容本体１０の第二収容溝１０２には、複数の固定凸点１０２１を備えさせることができ、保護フィルムカバー３０の固定部材３１には、相互に対応する凹孔３１１を備えさせることができ、それにより、異なる大きさの保護フィルムカバー３０を収容本体１０に固定することができる。凹凸点（もちろん、凹凸点は、相互に位置を入れ替えることができる）を利用して相互に係合する設計は一般的な技術であるため、ここでは記載を省略するものとし、実際に使用する際には、必要に応じて取り替えることができる。また、図４は、収容本体１０の底面構造を示している。収容本体１０の底部には、複数の固定穴１０４を備えさせることができ、それにより、収容本体１０を、螺合部材を用いて平らな台或いは机に固定することができる。もちろん、収容本体１０の底面には複数の滑り止めユニット１０５を設けることで、ローラ装置２０がスライド移動する際に収容本体１０が移動するのを防ぐこともできる。
【００３０】
図５と図６を同時に参照する。図５と図６は、それぞれ、ローラ装置２０の第一概略図と第二概略図である。ローラ装置２０の各側板２０１は、更に、それぞれ、補助ローラ２４を備え、それにより、各側板２０１は、対応する各スライド溝１０３の間をスムーズにスライド移動することができる。本考案を実際に使用する際には、補助ローラ２４はボール或いはベアリング等にすることができる。図６と図１７に示すように、好ましい実施例において、ローラセットは、二つのローラ２２１を備え、二つのローラ２２１は相互に並べて配列される。それにより、ローラ装置２０でフィルムを貼る過程において、増設したローラ２２１により、保護フィルム３３を電子機器４０の表面にさらにぴったりと貼り付けることができる。
【００３１】
図７と図８を参照する。図７と図８は、保護フィルムカバー３０の第一概略図と第二概略図である。図７は、保護フィルムカバー３０の側面を示しており、図８は、保護フィルムカバー３０の裏面を示している。その関連部材の連結関係については前述の説明を参照するものとし、ここでは記載を省略する。ここで注記が必要なのは、底膜３４と押分部材３５の間に、更に支持薄膜３６を増設する、という点である。支持薄膜３６は、長い棒状を呈するとともに、前記底膜３４に設けられる。また、支持薄膜３６は、底模３４と押分部材３５に挟まれるとともに、押分部材３５と垂直に配置される。それにより、押分部材３５がローラ装置２０に押された時、支持薄膜３６によって、保護フィルム３３は更に電子機器４０にぴったりと貼り付き、気泡が生じなくなる。言い換えると、支持薄膜３６により、保護フィルム３３が押分部材３５の影響を受けるのを避けることができ、でこぼこになる問題を防ぐことができる。
【００３２】
上述の内容を受け、図９から図１４を同時に参照する。以下に、上述の各構成部材を如何にして作動させ、保護フィルム３３を電子機器４０の表面にぴったりと貼り付けるかについて、さらに説明を行う。注意すべきなのは、ここでは、保護フィルムカバー３０は統合された一つの部材である、という点である。
【００３３】
（手順１）電子機器４０を収容本体１０の第一収容溝１０１に置く。
【００３４】
（手順２）保護フィルムカバー３０の固定部材３１を、収容本体１０の第二収容溝１０２に対応させて取り付けるとともに、固定部材３１の凹孔３１１を第二収容溝の凸点１０２１に対応させて係合させる（実際の使用においては、保護フィルムカバー３０を、先に収容本体１０の第二収容溝１０２に取り付けることもできる）。
【００３５】
（手順３）ローラ装置２０を収容本体１０のスライド溝１０３間に取り付ける（もちろん、実際の使用においては、ローラ装置２０を先に収容本体１０に取り付けることができる）。
【００３６】
（手順４）ローラ装置２０を保護フィルムカバー３０の方向へと動かし、底膜３４と保護フィルム３３を分離させると同時に、ローラ２２１のプレスによって、底膜３４と保護フィルム３３を分離させて保護フィルム３３を電子機器４０の表面にぴったり貼りつける（なお、図１２をわかりやすくするために、ローラ装置２０で押分部材３５を押す様子を描いていない。しかしながら、実際に押して動かす時は、ローラ装置２０は押分部材３５を押し出しながら前進すると同時に、保護フィルム３３をプレスする）。
【００３７】
（手順５）ローラ装置２０のローラ２２１を利用して、保護フィルムをすでに貼り付けた電子機器４０の表面を往復させて転がすことで、保護フィルム３３を更に平らにすることができる。
【００３８】
（手順６）使用者は、第一穿孔１０６を通して電子機器４０を押すことにより、電子機器４０を第一収容溝１０１から取り出すことができる。また、使用者は、第二穿孔１０７を通して固定部材３１を押すことにより、次の保護フィルムカバー３０に取り替えることができる。
【００３９】
手順４の関連部材の作動関係についてよりはっきり説明を行うために、図１４を参照する。使用者が手順４を執行する時、ローラ装置２０は、スライド溝１０３に沿って、収容本体１０底部の方向へと移動する。ローラ装置２０がスライド溝に沿って移動する時、各押当部２１２は保護フィルムカバー３０の押分部材３５を押し出し、押分部材３５は、ローラ装置２０の各押当部２１２に押し出された後、徐々に、保護フィルム３３の底面と分離する。また、それが分離すると同時に、ローラ装置２０のローラ２２１は、保護フィルム３３をプレスし、それによって、保護フィルム３３が静電気により電子機器４０の表面に貼り付く。
【００４０】
また、図１５から図１７に示すように、大きな面積の電子機器に適用した時は、支持薄膜３６は複数本（図では二本）にすることができ、しかも、図１７に示すように、複数のローラ２２１（図では二個）からなるローラセット２２を用いることで、この種の大きな面積の電子機器に適用した際、安定性が向上する。
【符号の説明】
【００４１】
１        フィルムの貼り付け装置
１０      収容本体
１０１    第一収容溝
１０２    第二収容溝
１０２１  凸点
１０３    スライド溝
１０４    固定穴
１０５    滑り止めユニット
１０６    第一穿孔
１０７    第二穿孔
１１      ローラ収容部
２０      ローラ装置
２０１    側板
２１      ローラフレーム
２１１    回転凸軸
２１２    押当部
２２      ローラセット
２２１    ローラ
２３      ハンドル部
２４      補助ローラ
３０      保護フィルムカバー
３１      固定部材
３１１    凹孔
３２      固定薄膜
３３      保護フィルム
３４      底膜
３５      押分部材
３６      支持薄膜
４０      電子機器
【図１】
0003182202.tif 000003
【図２】
0003182202.tif 000004
【図３】
0003182202.tif 000005
【図４】
0003182202.tif 000006
【図５】
0003182202.tif 000007
【図６】
0003182202.tif 000008
【図７】
0003182202.tif 000009
【図８】
0003182202.tif 000010
【図９】
0003182202.tif 000011
【図１０】
0003182202.tif 000012
【図１１】
0003182202.tif 000013
【図１２】
0003182202.tif 000014
【図１３】
0003182202.tif 000015
【図１４】
0003182202.tif 000016
【図１５】
0003182202.tif 000017
【図１６】
0003182202.tif 000018
【図１７】
0003182202.tif 000019